(57)【要約】【課題】テレビ放送記録再生装置において、再生したい目的の番組をより効率よく探し出せると共により効率よく選択でき、番組の再生操作におけるユーザの負担を軽減できる。【解決手段】再生番組選択画像６０は、題名一覧画像６１、カーソル画像６２、先頭文字選択用の枠画像６３−１、６３−２、・・・、次文字選択用の枠画像６４−１、６４−２、・・・を含む。題名一覧画像６１は、複数の題名画像６１−１、６１−２、・・・をアルファベット順に並べて表示する。枠画像６３−１、・・・は、先頭文字が同じ題名が複数ある場合に、それらの題名の並びに対して１つ表示される。枠画像６４−１、・・・は、先頭文字が同じ複数の題名の並びの中に先頭の次の文字が同じ題名が複数存在する場合に、それらの題名の並びに対して１つ表示される。カーソル画像６２は、題名画像６１−１、・・・、枠画像６３−１、・・・、６４−１、・・・の間を移動する。【選択図】図４
2006135609.tif 000002
【特許請求の範囲】
【請求項１】
放送局から配信されるテレビ放送信号を受信するチューナと、前記チューナにより受信したテレビ放送信号を処理して、該テレビ放送信号からテレビ番組の映像データ、テレビ番組の音声データ、及びＥＰＧ（Electric Program Guide）データを分離するフィルタと、前記フィルタにより分離されたテレビ番組の映像データ及びテレビ番組の音声データを読出し可能に記録するための番組記録手段と、前記フィルタにより分離された映像データ及び前記番組記録手段から読出された映像データを処理して、テレビ番組の映像を本装置に接続されるディスプレイで再生するための信号を生成する映像デコーダと、前記フィルタにより分離された音声データ及び前記番組記録手段から読出された音声データを処理して、テレビ番組の音声を本装置に接続されるスピーカで再生するための信号を生成する音声デコーダと、本装置の動作を指示するために操作される操作手段と、前記フィルタにより分離された映像データ及び音声データの前記番組記録手段への記録動作を制御する番組記録制御手段と、前記番組記録手段に記録されている映像データ及び音声データに関する情報の前記ディスプレイへの表示動作を制御する番組情報表示制御手段と、前記番組記録手段に記録されている映像データ及び音声データの読出し動作及び前記映像デコーダ及び音声デコーダへの出力動作を制御する番組再生制御手段とを備え、
前記番組記録制御手段は、前記フィルタにより分離された映像データ及び音声データを、前記フィルタにより分離されたＥＰＧデータに含まれるテレビ番組の題名及びテレビ番組の放送日時と対応付けて前記番組記録手段に記録し、
前記番組情報表示制御手段は、前記番組記録手段に記録されているテレビ番組の題名の一覧を含む題名一覧画像、及び該題名一覧画像の中から任意のテレビ番組の題名を選択するためのカーソル画像を前記ディスプレイに表示し、前記カーソル画像を前記操作手段の操作により前記題名一覧画像の題名上を移動させ、
前記番組再生制御手段は、前記カーソル画像により選択された題名に該当する映像データ及び音声データを前記番組記録手段から読出して前記映像デコーダ及び音声デコーダに出力するテレビ放送記録再生装置において、
前記番組情報表示制御手段は、
前記題名一覧画像を、テレビ番組の題名をアルファベット順又は５０音順に並べて表示し、同じ題名がある場合は、それらの題名を放送日時順に表示し、
前記題名一覧画像中に先頭の文字が同じである題名が複数存在する場合には、前記カーソル画像が移動できる先頭文字選択用の枠画像を、それら先頭の文字が同じである複数の題名の並びに対して１つ表示し、また、先頭の文字が同じである題名が複数存在せず、その文字が先頭の文字になっている題名が１つだけの場合にも、前記先頭文字選択用の枠画像を、その題名に対して１つ表示し、
さらに、前記先頭の文字が同じである複数の題名の並びの中に先頭の次の文字が同じである題名が複数存在する場合には、前記カーソル画像が移動できる次文字選択用の枠画像を、それら先頭の次の文字が同じである複数の題名の並びに対して１つ表示し、また、先頭の次の文字が同じである題名が複数存在せず、その文字が先頭の次の文字になっている題名が１つだけの場合にも、前記次文字選択用の枠画像を、その題名に対して１つ表示し、
前記カーソル画像を、前記題名一覧画像の題名上、前記先頭文字選択用の枠画像上、及び前記次文字選択用の枠画像上で移動させることを特徴とするテレビ放送記録再生装置。
【請求項２】
放送局から配信されるテレビ放送信号を受信するチューナと、前記チューナにより受信したテレビ放送信号を処理して、該テレビ放送信号からテレビ番組の映像データ、テレビ番組の音声データ、及びＥＰＧ（Electric Program Guide）データを分離するフィルタと、前記フィルタにより分離されたテレビ番組の映像データ及びテレビ番組の音声データを読出し可能に記録するための番組記録手段と、前記フィルタにより分離された映像データ及び前記番組記録手段から読出された映像データを処理して、テレビ番組の映像を本装置に接続されるディスプレイで再生するための信号を生成する映像デコーダと、前記フィルタにより分離された音声データ及び前記番組記録手段から読出された音声データを処理して、テレビ番組の音声を本装置に接続されるスピーカで再生するための信号を生成する音声デコーダと、本装置の動作を指示するために操作される操作手段と、前記フィルタにより分離された映像データ及び音声データの前記番組記録手段への記録動作を制御する番組記録制御手段と、前記番組記録手段に記録されている映像データ及び音声データに関する情報の前記ディスプレイへの表示動作を制御する番組情報表示制御手段と、前記番組記録手段に記録されている映像データ及び音声データの読出し動作及び前記映像デコーダ及び音声デコーダへの出力動作を制御する番組再生制御手段とを備え、
前記番組記録制御手段は、前記フィルタにより分離された映像データ及び音声データを、前記フィルタにより分離されたＥＰＧデータに含まれるテレビ番組の題名と対応付けて前記番組記録手段に記録し、
前記番組情報表示制御手段は、前記番組記録手段に記録されているテレビ番組の題名の一覧を含む題名一覧画像、及び該題名一覧画像の中から任意のテレビ番組の題名を選択するためのカーソル画像を前記ディスプレイに表示し、前記カーソル画像を前記操作手段の操作により前記題名一覧画像の題名上を移動させ、
前記番組再生制御手段は、前記カーソル画像により選択された題名に該当する映像データ及び音声データを前記番組記録手段から読出して前記映像デコーダ及び音声デコーダに出力するテレビ放送記録再生装置において、
前記番組情報表示制御手段は、
前記題名一覧画像を、テレビ番組の題名をアルファベット順又は５０音順に並べて表示し、
前記題名一覧画像中に先頭の文字が同じである題名が複数存在する場合には、前記カーソル画像が移動できる先頭文字選択用の枠画像を、それら先頭の文字が同じである複数の題名の並びに対して１つ表示し、
前記カーソル画像を、前記題名一覧画像の題名上、及び前記先頭文字選択用の枠画像上で移動させることを特徴とするテレビ放送記録再生装置。
【請求項３】
前記番組情報表示制御手段は、
前記先頭の文字が同じである複数の題名の並びの中に先頭の次の文字が同じである題名が複数存在する場合には、前記カーソル画像が移動できる次文字選択用の枠画像を、それら先頭の次の文字が同じである複数の題名の並びに対して１つ表示し、
前記カーソル画像を、前記題名一覧画像の題名上、前記先頭文字選択用の枠画像上、及び前記次文字選択用の枠画像上で移動させる請求項２に記載のテレビ放送記録再生装置。
【発明の詳細な説明】
【技術分野】
【０００１】
本発明は、テレビ放送信号により配信されるテレビ番組を記録し、また、記録したテレビ番組を再生するテレビ放送記録再生装置に関するものである。
【背景技術】
【０００２】
従来より、テレビ放送記録再生装置は、テレビ放送信号により配信されるテレビ番組をハードディスク等の内蔵の記録メディアに記録して蓄え、そのテレビ番組を任意に選択して再生できるようにしたものがある。近年のテレビ放送記録再生装置では、記録メディアに蓄えることのできるデータの量は大きく拡大しており、大量のテレビ番組を蓄えることができるようになっている。このことは、同時に、大量に蓄えられているテレビ番組の中から、再生したい希望のテレビ番組を探し出さなければならず、その負担をユーザに強いることになる。
【０００３】
ところで、デジタルテレビ放送には、電子番組ガイドを表示させる目的で、放送電波内に電子番組ガイド用データ（ＥＰＧ（Electric Program Guide）データ）が含まれている。ＥＰＧデータは、番組の題名、番組の内容についての説明文、及び番組の放送日時等を含んでいる。
【０００４】
そこで、デジタルテレビ放送により配信されるテレビ番組を記録／再生するテレビ放送記録再生装置では、テレビ番組を記録する際に、テレビ番組の題名及び放送日時をＥＰＧデータから取得して、そのテレビ番組の題名及び放送日時をテレビ番組の映像データ及び音声データと共に記録している。そして、記録されているテレビ番組を再生する際に、記録されているテレビ番組の題名の一覧から成る題名一覧画像をディスプレイに表示して、その題名一覧画像の中から再生したい目的のテレビ番組の題名をユーザに選択させ、選択された題名に対応して記録されている映像データ及び音声データを再生するようにしている。
【０００５】
従来では、題名一覧画像は、テレビ番組の題名が放送日時と共に放送日時順に並べられて表示されるようになっている。また、題名一覧画像と共に、題名一覧画像の中からテレビ番組の題名を選択するためのカーソル画像を表示し、リモコンのカーソルキーを押下する毎に、カーソル画像を題名一覧画像の題名間で１駒ずつ移動させるようにしている。なお、記録されているテレビ番組が多数あり、テレビ番組の題名が１画面で表示できない場合は、カーソル画像が画面の１番下（又は１番上）まで移動されると、題名一覧画像を上（又は下）にスクロールして、続きの題名一覧画像を表示するようになっている。
【０００６】
再生するテレビ番組の選択は、放送日時順にテレビ番組の題名が並べられた題名一覧画像の中から再生したい目的のテレビ番組の題名を探し出し、リモコンを操作して、その題名上にカーソルを移動させることにより行われる。デジタルテレビ放送により配信されるテレビ番組を記録／再生するテレビ放送記録再生装置では、このようにして、テレビ番組の再生時におけるユーザの負担の軽減を図っている。
【０００７】
また、記録されたテレビ番組内から所望の番組を再生する場合に、記録されているテレビ番組の名称の一覧をディスプレイに表示し、カーソルの移動により一覧の中から番組の名称が選択されると、選択された番組名称が付与されている複数の番組を、それらの番組に対して予め設定されている順序で順次再生するようにしたテレビ放送記録再生装置が知られている（例えば、特許文献１参照）。また、記録しているテレビ番組内から所望の番組を再生する場合に、記録されているテレビ番組の題名を含む番組情報の一覧をディスプレイに表示し、カーソルの移動により一覧の中からテレビ番組が選択されると、選択されたテレビ番組の詳細情報をディスプレイに表示するようにしたものが知られている（例えば、特許文献２参照）。また、テレビ番組を記録する場合に、番組の題名と番組の放送開始時刻を含む番組情報の一覧を、番組の題名が５０音順となるように並べて表示し、カーソルの移動により一覧の中からテレビ番組が選択されると、選択されたテレビ番組を記録するようにしたテレビ放送記録再生装置が知られている（例えば、特許文献３参照）。
【特許文献１】特開２００２−２３０９４６号公報
【特許文献２】特開２００２−３６９１０８号公報
【特許文献３】特開平９−１５４０７８号公報
【発明の開示】
【発明が解決しようとする課題】
【０００８】
ところで、上述した従来のテレビ放送記録再生装置においては、カーソル画像はリモコンのカーソルキーを押下する毎に題名一覧画像の題名間を１駒ずつ移動するため、カーソル画像を目的の題名上に移動させるのに、多くのカーソル移動操作が必要である。従って、目的のテレビ番組を探し出すためにディスプレイに表示されている題名一覧画像を上（又は下）にスクロールさせる場合、題名一覧画像をスクロールさせるべくカーソル画像をディスプレイの１番下（又は１番上）の題名まで移動させるのに多くのカーソル移動操作が必要となり、その結果、目的のテレビ番組を探し出すのに、手間がかかり、時間もかかってしまう。また、ディスプレイに表示されている題名一覧画像内に目的のテレビ番組の題名を発見できた場合、その目的の題名上にカーソル画像を移動させるのにも多くのカーソル移動操作が必要となり、その結果、目的のテレビ番組を選択するのにも、手間がかかり、時間もかかってしまう。
【０００９】
このように、従来のテレビ放送記録再生装置においては、記録されているテレビ番組を再生する際、再生したい目的のテレビ番組を探し出して選択するのに、多くのカーソル移動操作が必要であり、手間がかかり、時間もかかるものであった。なお、上述した特許文献１乃至特許文献３に開示の内容を適用したとしても、上記の課題を解決することはできない。
【００１０】
本発明は、上記課題を解決するためになされたものであり、再生したい目的の番組をより効率よく探し出せると共により効率よく選択でき、番組の再生操作におけるユーザの負担を軽減できるテレビ放送記録再生装置を提供することを目的とする。
【課題を解決するための手段】
【００１１】
上記目的を達成するために請求項１の発明は、放送局から配信されるテレビ放送信号を受信するチューナと、チューナにより受信したテレビ放送信号を処理して、該テレビ放送信号からテレビ番組の映像データ、テレビ番組の音声データ、及びＥＰＧ（Electric Program Guide）データを分離するフィルタと、フィルタにより分離されたテレビ番組の映像データ及びテレビ番組の音声データを読出し可能に記録するための番組記録手段と、フィルタにより分離された映像データ及び番組記録手段から読出された映像データを処理して、テレビ番組の映像を本装置に接続されるディスプレイで再生するための信号を生成する映像デコーダと、フィルタにより分離された音声データ及び番組記録手段から読出された音声データを処理して、テレビ番組の音声を本装置に接続されるスピーカで再生するための信号を生成する音声デコーダと、本装置の動作を指示するために操作される操作手段と、フィルタにより分離された映像データ及び音声データの番組記録手段への記録動作を制御する番組記録制御手段と、番組記録手段に記録されている映像データ及び音声データに関する情報のディスプレイへの表示動作を制御する番組情報表示制御手段と、番組記録手段に記録されている映像データ及び音声データの読出し動作及び映像デコーダ及び音声デコーダへの出力動作を制御する番組再生制御手段とを備え、番組記録制御手段は、フィルタにより分離された映像データ及び音声データを、フィルタにより分離されたＥＰＧデータに含まれるテレビ番組の題名及びテレビ番組の放送日時と対応付けて番組記録手段に記録し、番組情報表示制御手段は、番組記録手段に記録されているテレビ番組の題名の一覧を含む題名一覧画像、及び該題名一覧画像の中から任意のテレビ番組の題名を選択するためのカーソル画像をディスプレイに表示し、カーソル画像を操作手段の操作により題名一覧画像の題名上を移動させ、番組再生制御手段は、カーソル画像により選択された題名に該当する映像データ及び音声データを番組記録手段から読出して映像デコーダ及び音声デコーダに出力するテレビ放送記録再生装置において、番組情報表示制御手段は、題名一覧画像を、テレビ番組の題名をアルファベット順又は５０音順に並べて表示し、同じ題名がある場合は、それらの題名を放送日時順に表示し、題名一覧画像中に先頭の文字が同じである題名が複数存在する場合には、カーソル画像が移動できる先頭文字選択用の枠画像を、それら先頭の文字が同じである複数の題名の並びに対して１つ表示し、また、先頭の文字が同じである題名が複数存在せず、その文字が先頭の文字になっている題名が１つだけの場合にも、先頭文字選択用の枠画像を、その題名に対して１つ表示し、さらに、先頭の文字が同じである複数の題名の並びの中に先頭の次の文字が同じである題名が複数存在する場合には、カーソル画像が移動できる次文字選択用の枠画像を、それら先頭の次の文字が同じである複数の題名の並びに対して１つ表示し、また、先頭の次の文字が同じである題名が複数存在せず、その文字が先頭の次の文字になっている題名が１つだけの場合にも、次文字選択用の枠画像を、その題名に対して１つ表示し、カーソル画像を、題名一覧画像の題名上、先頭文��選択用の枠画像上、及び次文字選択用の枠画像上で移動させるものである。
【００１２】
請求項２の発明は、放送局から配信されるテレビ放送信号を受信するチューナと、チューナにより受信したテレビ放送信号を処理して、該テレビ放送信号からテレビ番組の映像データ、テレビ番組の音声データ、及びＥＰＧ（Electric Program Guide）データを分離するフィルタと、フィルタにより分離されたテレビ番組の映像データ及びテレビ番組の音声データを読出し可能に記録するための番組記録手段と、フィルタにより分離された映像データ及び番組記録手段から読出された映像データを処理して、テレビ番組の映像を本装置に接続されるディスプレイで再生するための信号を生成する映像デコーダと、フィルタにより分離された音声データ及び番組記録手段から読出された音声データを処理して、テレビ番組の音声を本装置に接続されるスピーカで再生するための信号を生成する音声デコーダと、本装置の動作を指示するために操作される操作手段と、フィルタにより分離された映像データ及び音声データの番組記録手段への記録動作を制御する番組記録制御手段と、番組記録手段に記録されている映像データ及び音声データに関する情報のディスプレイへの表示動作を制御する番組情報表示制御手段と、番組記録手段に記録されている映像データ及び音声データの読出し動作及び映像デコーダ及び音声デコーダへの出力動作を制御する番組再生制御手段とを備え、番組記録制御手段は、フィルタにより分離された映像データ及び音声データを、フィルタにより分離されたＥＰＧデータに含まれるテレビ番組の題名と対応付けて番組記録手段に記録し、番組情報表示制御手段は、番組記録手段に記録されているテレビ番組の題名の一覧を含む題名一覧画像、及び該題名一覧画像の中から任意のテレビ番組の題名を選択するためのカーソル画像をディスプレイに表示し、カーソル画像を操作手段の操作により題名一覧画像の題名上を移動させ、番組再生制御手段は、カーソル画像により選択された題名に該当する映像データ及び音声データを番組記録手段から読出して映像デコーダ及び音声デコーダに出力するテレビ放送記録再生装置において、番組情報表示制御手段は、題名一覧画像を、テレビ番組の題名をアルファベット順又は５０音順に並べて表示し、題名一覧画像中に先頭の文字が同じである題名が複数存在する場合には、カーソル画像が移動できる先頭文字選択用の枠画像を、それら先頭の文字が同じである複数の題名の並びに対して１つ表示し、カーソル画像を、題名一覧画像の題名上、及び先頭文字選択用の枠画像上で移動させるものである。
【００１３】
請求項３の発明は、請求項２に記載のテレビ放送記録再生装置において、番組情報表示制御手段は、先頭の文字が同じである複数の題名の並びの中に先頭の次の文字が同じである題名が複数存在する場合には、カーソル画像が移動できる次文字選択用の枠画像を、それら先頭の次の文字が同じである複数の題名の並びに対して１つ表示し、カーソル画像を、題名一覧画像の題名上、先頭文字選択用の枠画像上、及び次文字選択用の枠画像上で移動させるものである。
【発明の効果】
【００１４】
請求項１の発明によれば、カーソル画像を先頭文字選択用の枠画像間で移動させると、カーソル画像を題名一覧画像の題名間で移動させるよりも、少ないカーソル移動操作回数でカーソル画像を題名一覧画像の題名の並びに対して移動させることができる。従って、カーソル画像を先頭文字選択用の枠画像間で移動させ、その後、カーソル画像を題名一覧画像の題名間で目的の題名上へ移動させることにより、少ない操作回数で目的の題名を選択することができる。また、カーソル画像を次文字選択用の枠画像間で移動させても、カーソル画像を題名一覧画像の題名間で移動させるよりも、少ないカーソル移動操作回数でカーソル画像を題名一覧画像の題名の並びに対して移動させることができる。従って、カーソル画像を先頭文字選択用の枠画像間で移動させた後、さらに、カーソル画像を次文字選択用の枠画像間で移動させ、その後、カーソル画像を題名一覧画像の題名間で目的の題名上へ移動させることにより、より一層少ない操作回数で目的の題名を選択することができる。これにより、番組の再生操作におけるユーザの負担を軽減でき、容易に、素早く、目的の番組を再生することができる。
【００１５】
請求項２の発明によれば、カーソル画像を先頭文字選択用の枠画像間で移動させると、カーソル画像を題名一覧画像の題名間で移動させるよりも、少ないカーソル移動操作回数でカーソル画像を題名一覧画像の題名の並びに対して移動させることができる。従って、カーソル画像を先頭文字選択用の枠画像間で移動させ、その後、カーソル画像を題名一覧画像の題名間で目的の題名上へ移動させることにより、少ない操作回数で目的の題名を選択することができ、これにより、番組の再生操作におけるユーザの負担を軽減でき、容易に、素早く、目的の番組を再生することができる。
【００１６】
請求項３の発明によれば、カーソル画像を次文字選択用の枠画像間で移動させると、カーソル画像を題名一覧画像の題名間で移動させるよりも、少ないカーソル移動操作回数でカーソル画像を題名一覧画像の題名の並びに対して移動させることができる。従って、カーソル画像を先頭文字選択用の枠画像間で移動させた後、さらに、カーソル画像を次文字選択用の枠画像間で移動させ、その後、カーソル画像を題名一覧画像の題名間で目的の題名上へ移動させることにより、より一層少ない操作回数で目的の題名を選択することができ、これにより、番組の再生操作におけるユーザの負担をより一層軽減でき、より容易に、より素早く、目的の番組を再生することができる。
【発明を実施するための最良の形態】
【００１７】
以下、本発明を具体化した実施形態によるテレビ放送記録再生装置について図面を参照して説明する。図１は、テレビ放送記録再生装置の概略構成を示す。テレビ放送記録再生装置１は、放送局から発信されるテレビ放送信号を本装置１に接続されるアンテナ２を介して受信して、テレビ放送信号により配信されるテレビ番組を記録し、また、記録したテレビ番組を本装置１に接続されるディスプレイ３及びスピーカ４にて再生するための装置である。このテレビ放送受信装置１は、記録したテレビ番組をディスプレイ３及びスピーカ４にて再生する際に、記録したテレビ番組の題名の一覧から成る題名一覧画像をディスプレイ３に表示して、その題名一覧画像の中から再生したい目的のテレビ番組の題名をユーザに選択させるようになっている。
【００１８】
テレビ放送記録再生装置１は、テレビ放送記録再生装置１を制御するためのＣＰＵ１１と、チューナ１２と、フィルタ１３と、映像デコーダ１４と、音声デコーダ１５と、ＨＤＤ１６と、メモリ１７と、オーバレイ処理部１８と、操作手段であるリモコン１９と、リモコン受信部２０と、ＲＯＭ２１とを備えている。
【００１９】
チューナ１２は、ＣＰＵ１１による制御のもと、その受信周波数を放送局から配信されるデジタルテレビ放送信号の周波数に同調させることにより、デジタルテレビ放送信号をアンテナ２を介して受信する。デジタルテレビ放送信号には、テレビ番組の映像データ及び音声データに加え、電子番組ガイドを表示させる目的で、電子番組ガイド用データ（ＥＰＧ（Electric Program Guide）データ）が含まれている。ＥＰＧデータは、番組の題名、番組の内容についての説明文、及び番組の放送日時等を含んでいる。
【００２０】
フィルタ１３は、ＣＰＵ１１による制御のもと、チューナ１２により受信したデジタルテレビ放送信号を処理して、受信したデジタルテレビ放送信号からテレビ番組の映像データ、テレビ番組の音声データ、及びＥＰＧデータを分離する。フィルタ１３により分離された映像データは、映像デコーダ１４及びＨＤＤ１６に出力され、フィルタ１３により分離された音声データは音声デコーダ１５及びＨＤＤ１６に出力される。また、フィルタ１３により分離されたＥＰＧデータは、メモリ１７に出力される。
【００２１】
映像デコーダ１４は、ＣＰＵ１１による制御のもと、フィルタ１３により分離された映像データを処理して、テレビ番組の映像をディスプレイ３で再生するための映像信号を生成する。音声デコーダ１５は、ＣＰＵ１１による制御のもと、フィルタ１３により分離された音声データを処理して、テレビ番組の音声をスピーカ４で再生するための音声信号を生成する。映像デコーダ１４にて生成された映像信号は、オーバレイ処理部１８を介してディスプレイ３に出力され、音声デコーダ１５にて生成された音声信号は、スピーカ４に出力される。これにより、テレビ放送信号により配信されるテレビ番組の映像・音声がディスプレイ３及びスピーカ４にて再生される。
【００２２】
ＨＤＤ１６は、テレビ番組の映像データ及びテレビ番組の音声データを読出し可能に記録するものである。ＨＤＤ１６は、ＣＰＵ１１による制御のもと、フィルタ１３により分離されたテレビ番組の映像データ及びテレビ番組の音声データを内蔵のハードディスクに記録する。これにより、テレビ放送信号により配信されるテレビ番組の映像・音声がＨＤＤ１６に記録され蓄積される。このとき、ＨＤＤ１６は、ＣＰＵ１１による制御のもと、フィルタ１３により分離されたテレビ番組の映像データ及びテレビ番組の音声データを、フィルタ１３により分離されたＥＰＧデータから得られる番組の題名、及び番組の放送日時等と対応付けて記録する。ＥＰＧデータから得られる番組の題名、及び番組の放送日時等は、メモリ１７を介してＨＤＤ１６に与えられる。
【００２３】
また、ＨＤＤ１６は、ＣＰＵ１１による制御のもと、内蔵のハードディスクに記録し蓄積しているテレビ番組の映像データ及びテレビ番組の音声データを読出す。ＨＤＤ１６から読出されたテレビ番組の映像データ及び音声データは、フィルタ１３を介して映像デコーダ１４及び音声デコーダ１５に出力される。映像デコーダ１４及び音声デコーダ１５は、ＣＰＵ１１による制御のもと、ＨＤＤ１６から読出されたテレビ番組の映像データ及びテレビ番組の音声データを処理して、テレビ番組の映像をディスプレイ３で再生するための映像信号、及びテレビ番組の音声をスピーカ４で再生するための音声信号を生成する。これにより、ＨＤＤ１６に記録され蓄積されているテレビ番組の映像・音声がディスプレイ３及びスピーカ４にて再生される。
【００２４】
また、ＨＤＤ１６は、ＣＰＵ１１による制御のもと、内蔵のハードディスクに記録し蓄積しているテレビ番組の題名及び放送日時を読出す。ＨＤＤ１６から読出されたテレビ番組の題名及び放送日時は、フィルタ１３を介してメモリ１７に出力される。
【００２５】
メモリ１７は、ディスプレイ３に表示するオンスクリーン画像を生成するためのグラフィックスデータ等を記憶している。また、メモリ１７は、ＣＰＵ１１による制御のもと、フィルタ１３により分離されたＥＰＧデータや、ＨＤＤ１６から読出されたテレビ番組の題名及び放送日時等を一時的に記憶する。
【００２６】
オーバレイ処理部１８は、ＣＰＵ１１による制御のもと、映像デコーダ１４から出力される映像信号に、オンスクリーン画像をディスプレイ３に表示するためのオンスクリーン画像信号を重畳する。オンスクリーン画像信号は、ＣＰＵ１１による制御のもと、メモリ１７に記憶されているグラフィックスデータ、ＥＰＧデータ、テレビ番組の題名及び放送日時等を用いてメモリ１７の作業領域内にて生成され、メモリ１７から出力される。オーバレイ処理部１８は、このオンスクリーン画像信号を映像デコーダ１４から出力される映像信号に重畳する。これにより、テレビ番組の映像にオンスクリーン画像が重ねられた映像がディスプレイ３に表示される。
【００２７】
リモコン１９は、テレビ放送信号の受信チャンネルの選局、テレビ放送信号により配信されるテレビ番組の記録、記録したテレビ番組の再生等、テレビ放送記録再生装置１の各種動作を指示するためにユーザにより操作されるものであり、後述する各種操作キーを備えており、各種操作キーが操作されることにより、その操作に対応付けられた赤外線コード信号を送出する。リモコン受信部２０は、リモコン１９から送出された赤外線コード信号を受光して電気信号に変換し、リモコン１９の操作に対応する信号をＣＰＵ１１へ出力する。ＲＯＭ２１は、ＣＰＵ１１の動作プログラムを格納している。
【００２８】
ＣＰＵ１１は、リモコン受信部２０からの出力信号を基にリモコン１９の操作内容を判断し、リモコン１９の操作に応じて、テレビ放送信号の受信動作、テレビ番組の記録動作、記録しているテレビ番組の中から再生する番組を選択するための再生番組選択画像の表示動作、記録しているテレビ番組の再生動作、等を制御する。
【００２９】
テレビ番組の記録動作では、ＣＰＵ１１は、フィルタ１３により分離されたテレビ番組の映像データ及び音声データをＨＤＤ１６に記録することにより、テレビ放送信号により配信されるテレビ番組をＨＤＤ１６に記録する。このとき、ＣＰＵ１１は、フィルタ１３により分離されメモリ１７に記憶されているＥＰＧデータを基に、テレビ番組の映像データ及び音声データを、そのテレビ番組の題名及び放送日時と対応付けてＨＤＤ１６に記録する。
【００３０】
再生番組選択画像の表示動作では、ＣＰＵ１１は、ＨＤＤ１６に記録されているテレビ番組の映像データ及び音声データに関する情報として、テレビ番組の題名の一覧を含む題名一覧画像をディスプレイ３に表示する。また、ＣＰＵ１１は、題名一覧画像の中から任意のテレビ番組の題名を選択するためのカーソル画像、及びカーソルが移動できる枠画像等を題名一覧画像と共にディスプレイ３に表示し、カーソル画像をリモコン１９の操作に応じて題名一覧画像の題名上及び枠画像上で移動させる。このとき、ＣＰＵ１１は、ＨＤＤ１６に記録している全てのテレビ番組の題名と放送日時をＨＤＤ１６から読出してメモリ１７に記憶し、これらのテレビ番組の題名と放送日時、及びメモリ１７に記憶されているグラフィックスデータを基に、題名一覧画像、カーソル画像、枠画像等を表示するためのオンスクリーン画像信号をメモリ１７の作業領域内にて生成する。そして、ＣＰＵ１１は、そのオンスクリーン画像信号をメモリ１７からオーバレイ処理部１８に出力することにより、題名一覧画像、カーソル画像、枠画像等をディスプレイ３に表示する。
【００３１】
テレビ番組の再生動作では、ＣＰＵ１１は、再生番組選択画像上でカーソル画像により番組の題名が選択されたことを受けて、その選択された題名に該当する映像データ及び音声データをＨＤＤ１６から読出し、それらの映像データ及び音声データをフィルタ１３を介して映像デコーダ１４及び音声デコーダ１５に出力することにより、その選択された題名に該当するテレビ番組をディスプレイ３及びスピーカ４にて再生する。
【００３２】
図２は、上記リモコン１９の構成を示す。リモコン１９は、テレビ放送記録再生装置１の各種動作を指示するためにユーザに操作される操作キーとして、電源キー３１、数字キー３２、録画キー３３、再生キー３４、停止キー３５、メニューキー３６、番組キー４０、カーソルキー４１〜４４、及び決定キー４５等を備え、また、これらの操作キーの操作に応じて赤外線コード信号を送出する投光部５０を備えている。
【００３３】
電源キー３１は、テレビ放送記録再生装置１の電源をオン／オフするためのキーであり、数字キー３２は、テレビ放送信号の受信チャンネルを選択するためのキーである。録画キー３３は、テレビ放送信号により配信されるテレビ番組を記録するためのキーであり、再生キー３４は、記録したテレビ番組を再生するためのキーである。停止キー３５は、テレビ番組の記録又は再生を停止するためのキーである。メニューキー３６は、テレビ放送記録再生装置１の各種設定を行うためのメニュー画像をディスプレイ３に表示するためのキーである。
【００３４】
番組キー４０は、記録しているテレビ番組の中から再生する番組を選択するための再生番組選択画像を表示するためのキーである。カーソルキー４１〜４４は、メニュー画像上のカーソル画像、及び再生番組選択画像上のカーソル画像を移動させるためのキーであり、決定キー４５は、カーソルキー４１〜４４による選択内容を決定するためのキーである。リモコン１９は、これらの操作キーの操作に応じて、その操作に対応付けられた赤外線コード信号を投光部５０から送出する。
【００３５】
図３は、上記ＨＤＤ１６に記録されるテレビ番組のデータの内容を示す。ＨＤＤ１６には、図３に示すように、複数のテレビ番組についての番組データ（番組データ１、番組データ２、・・・）が記録される。各番組データは、テレビ番組の映像データ、テレビ番組の音声データ、テレビ番組の題名、及びテレビ番組の放送日時を含んでいる。これらの番組データは、上述のように、ＣＰＵ１１による制御のもと、記録され、また、読出される。このように、ＨＤＤ１６には、複数のテレビ番組の映像データと音声データが、テレビ番組の題名及び放送日時と対応付けて記録される。
【００３６】
図４（ａ）は、上記再生する番組を選択するための再生番組選択画像を示す。再生番組選択画像６０は、リモコン１９の番組キー４０を押下すると、ディスプレイ３に表示される。再生番組選択画像６０は、ＨＤＤ１６に記録しているテレビ番組の題名の一覧を含む題名一覧画像６１と、題名一覧画像６１の中から任意のテレビ番組の題名を選択するためのカーソル画像６２と、カーソル画像６２が移動できる枠画像６３−１、６３−２、・・・、６４−１、６４−２、・・・とを含んでいる。
【００３７】
題名一覧画像６１は、複数の題名画像６１−１、６１−２、・・・を含んでいる。各題名画像６１−１、６１−２、・・・は、ＨＤＤ１６に記録しているテレビ番組の数だけ表示され、各題名画像６１−１、６１−２、・・・には、ＨＤＤ１６に記録しているテレビ番組の題名と放送日時が表示される。題名一覧画像６１は、これら題名画像６１−１、６１−２、・・・を、テレビ番組の題名のアルファベット順に並べて表示する。なお、同じ題名がある場合は、それらを放送日時順に並べて表示する。図４（ａ）に示す例では、題名画像６１−１、６１−２、６１−３は、表示されている題名が何れも「ＡＢＣsong」で同じであるため、放送日時順に並べて表示されている。
【００３８】
枠画像６３−１、６３−２、・・・は、カーソル画像６２を題名一覧画像６１に表示される題名の先頭の文字（頭文字）単位で移動させるための先頭文字選択用の枠画像である。先頭文字選択用の枠画像６３−１、６３−２、・・・は、題名一覧画像６１中に先頭の文字が同じである題名が複数存在する場合に、それら先頭の文字が同じである複数の題名の並びに対して１つずつ表示される。また、先頭の文字が同じである題名が複数存在せず、その文字が先頭の文字になっている題名が１つだけの場合にも、その題名に対して１つ表示される。すなわち、先頭文字選択用の枠画像６３−１、６３−２、・・・は、題名一覧画像６１に表示される題名の先頭の文字の種類の数だけ表示される。
【００３９】
図４（ａ）に示す例では、題名画像６１−１〜６１−５に表示されている題名の先頭の文字は「Ａ」であるため、これら題名画像６１−１〜６１−５の並びに対して、１つの先頭文字選択用の枠画像６３−１が表示されている。先頭文字選択用の枠画像６３−１には、題名の先頭の文字「Ａ」に対応していることを示すために、「Ａ」の文字が表示されている。また、題名画像６１−６に表示されている題名の先頭の文字は「Ｂ」であり、先頭の文字が「Ｂ」である題名は、この題名画像６１−６だけであるため、この題名画像６１−６に対して、１つの先頭文字選択用の枠画像６３−２が表示されている。先頭文字選択用の枠画像６３−２には、題名の先頭の文字「Ｂ」に対応していることを示すために、「Ｂ」の文字が表示されている。また、題名画像６１−７、６１−８に表示されている題名の先頭の文字は「Ｔ」であるため、これら題名画像６１−７、６１−８の並びに対して、１つの先頭文字選択用の枠画像６３−３が表示されている。先頭文字選択用の枠画像６３−３には、題名の先頭の文字「Ｔ」に対応していることを示すために、「Ｔ」の文字が表示されている。
【００４０】
枠画像６４−１、６４−２、・・・は、先頭の文字が同じである複数の題名の並び（図４（ａ）に示す例では、題名画像６１−１〜６１−５の並びと、題名画像６１−７、６１−８の並び）の中で、カーソル画像６２を題名の先頭の次の文字単位で移動させるための次文字選択用の枠画像である。次文字選択用の枠画像６４−１、６４−２、・・・は、先頭の文字が同じである複数の題名の並びの中に先頭の次の文字が同じである題名が複数存在する場合に、それら先頭の次の文字が同じである複数の題名の並びに対して１つずつ表示される。また、先頭の次の文字が同じである題名が複数存在せず、その文字が先頭の次の文字になっている題名が１つだけの場合にも、その題名に対して１つ表示される。すなわち、次文字選択用の枠画像６４−１、６４−２、・・・は、先頭の文字が同じである複数の題名の並びの中で、題名一覧画像６１に表示される題名の先頭の次の文字の種類の数だけ表示される。
【００４１】
図４（ａ）に示す例では、題名画像６１−１〜６１−５の並びの中では、題名画像６１−１〜６１−３に表示されている題名の先頭の次の文字は「Ｂ」であるため、これら題名画像６１−１〜６１−３の並びに対して、１つの次文字選択用の枠画像６４−１が表示されている。また、題名画像６１−１〜６１−５の並びの中では、題名画像６１−４、６１−５に表示されている題名の先頭の次の文字は「Ｔ」であるため、これら題名画像６１−４、６１−５の並びに対して、１つの次文字選択用の枠画像６４−２が表示されている。次文字選択用の枠画像６４−１には、題名の先頭の次の文字「Ｂ」に対応していることを示すために、「Ｂ」の文字が表示されており、次文字選択用の枠画像６４−２には、題名の先頭の次の文字「Ｔ」に対応していることを示すために、「Ｔ」の文字が表示されている。
【００４２】
また、題名画像６１−６についても、１つの次文字選択用の枠画像６４−３が表示されている。次文字選択用の枠画像６４−３には、題名の先頭の次の文字「Ｅ」に対応していることを示すために、「Ｅ」の文字が表示されている。
【００４３】
また、題名画像６１−７、６１−８の並びの中では、題名画像６１−７に表示されている題名の先頭の次の文字は「Ｅ」であり、先頭の次の文字が「Ｅ」である題名は、この題名画像６１−７だけであるため、この題名画像６１−７に対して、１つの次文字選択用の枠画像６４−４が表示されている。また、題名画像６１−７、６１−８の並びの中では、題名画像６１−８に表示されている題名の先頭の次の文字は「Ｏ」であり、先頭の次の文字が「Ｏ」である題名は、この題名画像６１−８だけであるため、この題名画像６１−８に対して、１つの次文字選択用の枠画像６４−５が表示されている。次文字選択用の枠画像６４−４には、題名の先頭の次の文字「Ｅ」に対応していることを示すために、「Ｅ」の文字が表示されており、次文字選択用の枠画像６４−５には、題名の先頭の次の文字「Ｏ」に対応していることを示すために、「Ｏ」の文字が表示されている。
【００４４】
図４（ｂ）は、カーソル画像６２の移動の様子を示す。カーソル画像６２は、リモコン１９のカーソルキー４３、４４を押下すると、題名画像６１−１、６１−２、・・・と次文字選択用の枠画像６４−１、６４−２、・・・との間、及び次文字選択用の枠画像６４−１、６４−２、・・・と先頭文字選択用の枠画像６３−１、６３−２、・・・との間で移動する。
【００４５】
カーソル画像６２は、題名画像６１−１、６１−２、・・・の何れかの上にある場合は、リモコン１９のカーソルキー４１、４２を押下する毎に、図中矢印Ｐに示すように、題名画像６１−１、６１−２、・・・の間を上下方向に一駒ずつ移動する。また、カーソル画像６２は、次文字選択用の枠画像６４−１、６４−２、・・・の何れかの上にある場合は、リモコン１９のカーソルキー４１、４２を押下する毎に、図中矢印Ｑに示すように、次文字選択用の枠画像６４−１、６４−２、・・・の間を上下方向に一駒ずつ移動する。さらに、カーソル画像６２は、先頭文字選択用の枠画像６３−１、６３−２、・・・の何れかの上にある場合は、リモコン１９のカーソルキー４１、４２を押下する毎に、図中矢印Ｒに示すように、先頭文字選択用の枠画像６３−１、６３−２、・・・の間を上下方向に一駒ずつ移動する。
【００４６】
なお、HDD１６に記録しているテレビ番組が多数あり、題名画像６１−１、６１−２、・・・がディスプレイ３の１画面で表示できない場合は、カーソル画像６２を画面の１番下（図４（ｂ）に示す例では、題名画像６１−８、次文字選択用の枠画像６４−５、先頭文字選択用の枠画像６３−３の何れか）に移動させ、さらに、リモコン１９のカーソルキー４２を押下すると、再生番組選択画像６０が上にスクロールして、残りの画像が表示される。また、カーソル画像６２を画面の１番上に移動させ、さらに、リモコン１９のカーソルキー４１を押下すると、再生番組選択画像６０が下にスクロールして、残りの画像が表示される。
【００４７】
リモコン１９のカーソルキー４１〜４４を押下操作して、カーソル画像６２を題名画像６１−１、６１−２、・・・の何れかの上に移動させてテレビ番組の題名を選択し、リモコン１９の再生キー３４又は決定キー４５を押下することにより、その選択された題名に該当するテレビ番組の再生が開始される。
【００４８】
このような構成のテレビ放送記録再生装置１によれば、カーソル画像６２を先頭文字選択用の枠画像６３−１、６３−２、・・・の間で移動させると、カーソル画像６２を題名一覧画像６１の題名画像６１−１、６１−２、・・・の間で移動させるよりも、少ないカーソルキー４１、４２の押下操作回数でカーソル画像６２を題名画像６１−１、６１−２、・・・の並びに対して移動させることができる。従って、カーソル画像６２を先頭文字選択用の枠画像６３−１、６３−２、・・・の間で移動させ、その後、カーソル画像６２を題名画像６１−１、６１−２、・・・の間で目的の題名上へ移動させることにより、少ないカーソルキー４１〜４４の押下操作回数で目的の題名を選択することができる。
【００４９】
また、カーソル画像６２を次文字選択用の枠画像６４−１、６４−２、・・・の間で移動させても、カーソル画像６２を題名一覧画像６１の題名画像６１−１、６１−２、・・・の間で移動させるよりも、少ないカーソルキー４１、４２の押下操作回数でカーソル画像６２を題名画像６１−１、６１−２、・・・の並びに対して移動させることができる。従って、カーソル画像６２を先頭文字選択用の枠画像６３−１、６３−２、・・・の間で移動させた後、さらに、カーソル画像６２を次文字選択用の枠画像６４−１、６４−２、・・・の間で移動させ、その後、カーソル画像６２を題名画像６１−１、６１−２、・・・の間で目的の題名上へ移動させることにより、より一層少ないカーソルキー４１〜４４の押下操作回数で目的の題名を選択することができる。
【００５０】
なお、本発明は、上記各実施形態の構成に限られず、種々の変形が可能である。例えば、題名一覧画像６１は、題名画像６１−１、６１−２、・・・をアルファベット順ではなく、例えば５０音順に並べて表示してもよい。次文字選択用の枠画像６４−１、６４−２、・・・は、記録しているテレビ番組の数が少ない場合は、表示しないようになっていてもよい。同様に、先頭文字選択用の枠画像６３−１、６３−２、・・・についても、記録しているテレビ番組の数が少ない場合は、表示しないようになっていてもよい。また、先頭文字選択用の枠画像６３−１、６３−２、・・・、次文字選択用の枠画像６４−１、６４−２、・・・は、ユーザの設定により、表示する／表示しないを切換えられるようになっていてもよい。
【図面の簡単な説明】
【００５１】
【図１】本発明の一実施形態に係るテレビ放送記録再生装置の概略構成を示す電気的ブロック構成図。
【図２】同テレビ放送記録再生装置のリモコンの構成を示す平面図。
【図３】同テレビ放送記録再生装置のＨＤＤに記録されるテレビ番組のデータの内容を示す図。
【図４】（ａ）は同テレビ放送記録再生装置の再生番組選択画像を示す図、（ｂ）は同再生番組選択画像のカーソル画像の移動の様子を示す図。
【符号の説明】
【００５２】
１    テレビ放送記録再生装置
３    ディスプレイ
４    スピーカ
１１    ＣＰＵ（番組記録制御手段、番組情報表示制御手段、番組再生制御手段）
１２    チューナ
１３    フィルタ
１４    映像デコーダ
１５    音声デコーダ
１６    ＨＤＤ（番組記録手段）
１７    メモリ
１８    オーバレイ処理部
１９    リモコン（操作手段）
３４    再生キー
４０    番組キー
４１〜４４    カーソルキー
４５    決定キー
６０    再生番組選択画像
６１    題名一覧画像
６１−１、６１−２、・・・    題名画像
６２    カーソル画像
６３−１、６３−２、・・・    先頭文字選択用の枠画像
６４−１、６４−２、・・・    次文字選択用の枠画像
【図１】
2006135609.tif 000003
【図２】
2006135609.tif 000004
【図３】
2006135609.tif 000005
【図４】
2006135609.tif 000006